(57)【要約】【課題】複数の被収容体を収容しながら、水平方向の大きさを小さく抑えることができるコンパクト容器を提供する。【解決手段】第１収容体１０には、水平方向のうちの一方向に延びる第１案内凹部３１と、一方向と交差する他方向に延びる第２案内凹部３２と、が形成され、第２収容体３０には、第１案内凹部３１内に、一方向に移動可能に挿入された第１突部７１と、第２案内凹部３２内に、他方向に移動可能に挿入された第２突部７２と、が配設され、第１収容体１０および第２収容体３０は、第１突部７１又は第２突部７２の第１案内凹部３１内又は第２案内凹部３２内における移動に伴って、第２収容凹部が、第１収容体１０の底面から開放される開位置に向けて水平方向に相対変位可能に配設されている。【選択図】図２
2018171232.tif 000002
【特許請求の範囲】
【請求項１】
上方に向けて開口し、内側に第１被収容体が収容される第１収容凹部が形成された第１収容体、および前記第１収容凹部を開放可能に閉塞する蓋体を備える本体容器と、
上方に向けて開口し、内側に第２被収容体が収容される第２収容凹部が形成された第２収容体と、を備え、
前記第２収容凹部は、前記本体容器の底面により開放可能に閉塞され、
前記本体容器および前記第２収容体のうちのいずれか一方には、前記本体容器の底面に沿う水平方向のうちの一方向に延びる第１案内凹部と、前記一方向と交差する他方向に延びる第２案内凹部と、が形成されるとともに、
いずれか他方には、前記第１案内凹部内に、前記一方向に移動可能に挿入された第１突部と、前記第２案内凹部内に、前記他方向に移動可能に挿入された第２突部と、が配設され、
前記本体容器および前記第２収容体は、前記第１突部又は前記第２突部の前記第１案内凹部内又は前記第２案内凹部内における移動に伴って、前記第２収容凹部が前記本体容器の底面から開放される開位置に向けて水平方向に相対変位可能に配設されていることを特徴とするコンパクト容器。
【請求項２】
上面視において、前記第１案内凹部は、前記第２突部を中心とする円弧状に形成されるとともに、前記第２案内凹部は、前記第１突部を中心とする円弧状に形成され、
前記第１案内凹部および前記第２案内凹部は、互いに交差していることを特徴とする請求項１に記載のコンパクト容器。
【請求項３】
前記第１案内凹部および前記第２案内凹部のうちの少なくとも一方には、前記本体容器および前記第２収容体の前記開位置に向けた相対変位を抑止する第１位置決め部と、前記開位置から、前記第２収容凹部が前記本体容器の底面に閉塞される閉位置に向けた、前記本体容器および前記第２収容体の相対変位を抑止する第２位置決め部と、が形成されていることを特徴とする請求項１又は２に記載のコンパクト容器。
【請求項４】
前記第１収容体および前記蓋体それぞれの外周縁部の一部同士を連結したヒンジ部を備え、
前記第１突部および前記第２突部は、前記第１収容体および前記第２収容体のうちのいずれか他方の外周縁部に、前記ヒンジ部が延びるヒンジ軸方向に互いに間隔をあけて配置されていることを特徴とする請求項１から３のいずれか１項に記載のコンパクト容器。
【請求項５】
前記第１突部および前記第２突部は、前記第１収容体および前記第２収容体のうちのいずれか他方の外周縁部のうち、前記ヒンジ部が位置する外周縁部に配置されていることを特徴とする請求項４に記載のコンパクト容器。
【発明の詳細な説明】
【技術分野】
【０００１】
本発明は、コンパクト容器に関する。
【背景技術】
【０００２】
従来、例えば下記特許文献１に示されるように、上方に向けて開口し、内側に被収容体が収容される収容凹部が形成された収容体と、収容凹部を開放可能に閉塞する蓋体と、を備えたコンパクト容器が知られている。
このコンパクト容器では、収容凹部内に、化粧料および塗布具といった複数の被収容体が水平方向に互いに隣り合うように収容されている。
【先行技術文献】
【特許文献】
【０００３】
【特許文献１】特開２００５−２１１２８６号公報
【発明の概要】
【発明が解決しようとする課題】
【０００４】
しかしながら、前記従来のコンパクト容器では、収容凹部内に、複数の被収容体が水平方向に互いに隣り合うように収容されているので、被収容体が１つだけ収容された構成と比較して、コンパクト容器の水平方向の大きさが増大するため、複数の被収容体を収容しながら、水平方向の大きさが小さく抑えられたコンパクト容器が要望されていた。
【０００５】
そこで本発明は、前述した事情に鑑みてなされたものであり、複数の被収容体を収容しながら、水平方向の大きさを小さく抑えることができるコンパクト容器を提供することを目的とする。
【課題を解決するための手段】
【０００６】
前記課題を解決するために、本発明に係るコンパクト容器は、上方に向けて開口し、内側に第１被収容体が収容される第１収容凹部が形成された第１収容体、および前記第１収容凹部を開放可能に閉塞する蓋体を備える本体容器と、上方に向けて開口し、内側に第２被収容体が収容される第２収容凹部が形成された第２収容体と、を備え、前記第２収容凹部は、前記本体容器の底面により開放可能に閉塞され、前記本体容器および前記第２収容体のうちのいずれか一方には、前記本体容器の底面に沿う水平方向のうちの一方向に延びる第１案内凹部と、前記一方向と交差する他方向に延びる第２案内凹部と、が形成されるとともに、いずれか他方には、前記第１案内凹部内に、前記一方向に移動可能に挿入された第１突部と、前記第２案内凹部内に、前記他方向に移動可能に挿入された第２突部と、が配設され、前記本体容器および前記第２収容体は、前記第１突部又は前記第２突部の前記第１案内凹部内又は前記第２案内凹部内における移動に伴って、前記第２収容凹部が前記本体容器の底面から開放される開位置に向けて水平方向に相対変位可能に配設されていることを特徴とする。
【０００７】
この発明によれば、第２収容体の第２収容凹部が、本体容器の底面により開放可能に閉塞されていて、第２収容体が本体容器の下方に配設されているので、第１被収容体および第２被収容体が上下方向に互いに隣り合うように収容されることとなり、複数の被収容体を収容しながら、水平方向の大きさを小さく抑えることができる。
また例えば、第１収容凹部内および第２収容凹部内のうち、いずれか一方に化粧料を収容し、いずれか他方に塗布具を収容すること等により、コンパクト容器の搬送時に、塗布具が化粧料に直接触れるのを防ぐことができる。さらに、第２収容凹部内に塗布具を収容せずに、第１収容凹部内に収容した化粧料と異なる種類の化粧料を収容することで、コンパクト容器に複数の種類の化粧料を収容することもできる。
【０００８】
また、本体容器および第２収容体が、第１突部又は第２突部の第１案内凹部内又は第２案内凹部内での移動に伴って、前記開位置に向けて相対変位可能とされているので、第２収容凹部を、本体容器の底面から開放させる際に、本体容器および第２収容体を、第１案内凹部および第２案内凹部それぞれが延びる両方向に沿って、各別に相対変位させることが可能になる。
これにより、第２収容凹部を開く際に、本体容器および第２収容体を水平方向に相対変位させる向きを任意に選択することができ、コンパクト容器の取扱性を向上することができる。
また、第１突部および第２突部が、第１案内凹部内および第２案内凹部内に各別に挿入されているので、本体容器および第２収容体を相対変位させる際に、本体容器と第２収容体とを２箇所で連結させることが可能になり、本体容器および第２収容体の相対変位を安定させることができる。
【０００９】
また、上面視において、前記第１案内凹部は、前記第２突部を中心とする円弧状に形成されるとともに、前記第２案内凹部は、前記第１突部を中心とする円弧状に形成され、前記第１案内凹部および前記第２案内凹部は、互いに交差してもよい。
この場合には、第１案内凹部および第２案内凹部が円弧状に形成されているので、本体容器および第２収容体を、上面視で第１案内凹部および第２案内凹部の延びる方向に沿って円滑に相対変位させることができる。
【００１０】
また、第１案内凹部および第２案内凹部がそれぞれ円弧状に形成されているとともに、互いに交差しているので、第１案内凹部および第２案内凹部それぞれの上面視形状を単純にしながら、それぞれの長さを長く確保することが可能になる。このため、本体容器および第２収容体が相対変位する際の変位量を大きく確保することができる。
これにより、本体容器および第２収容体を相対変位させた際に、第２収容体の第２収容凹部を、本体容器の底面から広く開放することができ、コンパクト容器の取扱性を向上することができる。
【００１１】
また、前記第１案内凹部および前記第２案内凹部のうちの少なくとも一方には、前記本体容器および前記第２収容体の前記開位置に向けた相対変位を抑止する第１位置決め部と、前記開位置から、前記第２収容凹部が前記本体容器の底面に閉塞される閉位置に向けた、前記本体容器および前記第２収容体の相対変位を抑止する第２位置決め部と、が形成されてもよい。
この場合には、第１位置決め部により、前記開位置に向けた本体容器および第２収容体の相対変位を抑止することが可能になり、また、第２位置決め部により、前記閉位置に向けた本体容器および第２収容体の相対変位を抑止することが可能になる。これにより、例えば搬送時にコンパクト容器に外力が加わることで、本体容器および第２収容体が相対変位し、第２収容凹部が、不意に本体容器の底面から開放されたり、使用時にコンパクト容器に外力が加わることで、第２収容凹部が、不意に本体容器の底部により閉塞されたりするのを抑止すること等ができる。
【００１２】
また、前記第１収容体および前記蓋体それぞれの外周縁部の一部同士を連結したヒンジ部を備え、前記第１突部および前記第２突部は、前記第１収容体および前記第２収容体のうちのいずれか他方の外周縁部に、前記ヒンジ部が延びるヒンジ軸方向に互いに間隔をあけて配置されてもよい。
この場合には、第１収容体および第２収容体が相対変位する際の回動中心となる第１突部および第２突部が、第１収容体および第２収容体のうちのいずれか他方の外周縁部に配置されているので、第１案内凹部および第２案内凹部それぞれの長さを長く確保することが可能になる。
これにより、第１収容体および第２収容体を相対変位させた際に、第２収容体の第２収容凹部を、第１収容体の底面から広く開放することができ、コンパクト容器の取扱性を向上することができる。
【００１３】
また、第１突部および第２突部が、ヒンジ軸方向に互いに間隔をあけて配置されているので、第１収容体の底面から第２収容凹部を開放するに際して、例えば第２収容体を、第１収容体に対して第１突部および第２突部のうちのいずれか一方回りに、上面視で第１案内凹部又は第２案内凹部の延びる方向に沿って回動させる等すると、第２収容凹部が、第１収容凹部に対してヒンジ軸方向の外側に位置することとなる。このため、開放された第２収容凹部が、第１収容体に対して上方に向けて回動された蓋体により上方から覆われることが無い。
これにより、例えば第１収容凹部内および第２収容凹部内のいずれか一方に収容した塗布具を取り出すとともに、この塗布具にいずれか他方に収容した化粧料等を付着させて使用するような場合等において、このような一連の動作を円滑に行うことができ、コンパクト容器の取扱性をより一層向上することができる。
【００１４】
また、前記第１突部および前記第２突部は、前記第１収容体および前記第２収容体のうちのいずれか他方の外周縁部のうち、前記ヒンジ部が位置する外周縁部に配置されてもよい。
この場合には、第１突部および第２突部が、第１収容体および第２収容体のうちのいずれか他方の外周縁部のうち、ヒンジ部が位置する外周縁部に配置されているので、コンパクト容器を使用する際に、一方の手のひらで第２収容体の底部を支持し、かつ他方の手の親指で蓋体の前面を支持した状態で、本体容器および第２収容体が相対変位するように、両手を相対的に水平方向に回転移動させる第１操作と、他方の手の親指で蓋体を上方に向けて回動する第２操作と、により、第１収容凹部および第２収容凹部の双方を開放させることができる。そしてこのような一連の操作を、コンパクト容器の持ち手の姿勢を変えずに行うことができる。
【発明の効果】
【００１５】
本発明によれば、複数の被収容体を収容しながら、水平方向の大きさを小さく抑えることができる。
【図面の簡単な説明】
【００１６】
【図１】本発明の一実施形態に係るコンパクト容器の上面図である。
【図２】本発明の一実施形態に係るコンパクト容器の横断面図である。
【図３】図１に示すコンパクト容器の正面図である。
【図４】図２に示すコンパクト容器のＡ−Ａ線矢視断面図である。
【図５】図２に示すコンパクト容器のＢ−Ｂ線矢視断面図である。
【図６】図１に示すコンパクト容器の開位置における一の態様を示す蓋体を除いた下面図である。
【図７】図１に示すコンパクト容器の開位置における他の態様を示す蓋体を除いた下面図である。
【発明を実施するための形態】
【００１７】
以下、図面を参照して、本発明の一実施形態に係るコンパクト容器１について説明する。なお、以下の説明に用いる各図面では、各部材を認識可能な大きさとするために縮尺を適宜変更している。
【００１８】
図１、図２および図４に示すように、コンパクト容器１は、内側に第１被収容体８０が収容される第１収容凹部１９が形成された第１収容体１０、および第１収容体１０を開放可能に閉塞する蓋体２０を備える本体容器５と、内側に第２被収容体９０が収容される第２収容凹部３９が形成された第２収容体３０と、を備えている。第２収容体３０の第２収容凹部３９は、本体容器５の底面により開放可能に閉塞されている。図示の例では、第２収容凹部３９は、本体容器５のうち第１収容体１０の底面１０Ａにより開放可能に閉塞されている。
【００１９】
第１収容体１０および第２収容体３０は、扁平な有底筒状に形成され、蓋体２０は扁平な有頂筒状に形成されている。第１収容体１０および第２収容体３０それぞれの中心軸線は互いに平行に配置されている。
以下の説明において、第１収容体１０の中心軸線Ｏ１に沿う蓋体２０側を上側、第２収容体３０側を下側といい、中心軸線Ｏ１に沿う方向を上下方向という。
【００２０】
また、コンパクト容器１は、第１収容体１０および蓋体２０それぞれの外周縁部の一部同士を連結したヒンジ部４０を備えている。
ヒンジ部４０の回転軸線（以下、ヒンジ軸という）Ｏ２は、上下方向と直交する水平方向に沿って延びている。以下の説明において、ヒンジ軸Ｏ２に沿う方向をヒンジ軸方向といい、上面視において、ヒンジ軸方向と直交する方向を前後方向という。また、前後方向に沿う第１収容体１０のヒンジ部４０側を後側、その反対側を前側という。また、ヒンジ軸方向に沿う第１収容体１０の内側をヒンジ軸方向の内側といい、ヒンジ軸方向に沿う第１収容体１０の外側をヒンジ軸方向の外側という。
【００２１】
図２に示すように、第１収容体１０および第１収容凹部１９は上面視で矩形状を呈し、上方に向けて開口している。図２および図３に示すように、第１収容体１０の前端部に位置し、ヒンジ軸方向に延びる前壁１１には、前後方向に開口し、後述するフックピース６０の操作部６１が配設された開口部１２が形成されている。開口部１２は、正面視で上下方向よりもヒンジ軸方向に長い長方形状を呈するとともに、前方に向かうに従い漸次、ヒンジ軸方向の長さが長くなっている。
第１収容体１０の前壁１１のうち、開口部１２の下方に位置する部分には、前後方向に開口する係止口１４が形成されている。係止口１４内に、後述する第２収容体３０の係止部３０Ａが係止されている。
【００２２】
図４に示すように、第１収容体１０の上端部における内周面のうち、開口部１２の上方に位置する部分には、後方に向けて突出する被係合突部１５が形成されている。図１に示すように、被係合突部１５および開口部１２それぞれにおけるヒンジ軸方向の中央部の位置が互いに同等となっている。被係合突部１５のヒンジ軸方向の大きさは、開口部１２のヒンジ軸方向の大きさよりも小さくなっている。
【００２３】
図２および図４に示すように、第１収容体１０の後端部には、後方に向けて開口し、蓋体２０の後述するヒンジ脚部２１が配設される縦孔１６が形成されている。縦孔１６は上面視でヒンジ軸方向に長い長方形状を呈し、第１収容体１０の上下方向の全域にわたって形成されている。図示の例では、縦孔１６は、第１収容体１０の後端部のうち、ヒンジ軸方向の中央部に形成されている。
縦孔１６の内面のうち、ヒンジ軸方向を向く一対の内側面には、第１収容体１０をヒンジ軸方向に貫通するヒンジ孔１６Ａが、各別に開口している。第１収容体１０は、例えば合成樹脂材料等により形成されている。
【００２４】
蓋体２０は、図１に示すように、第１収容体１０の上方に配設され、第１収容凹部１９を上方から覆っている。
図２および図４に示すように、蓋体２０の後端部には、蓋体２０の下端開口縁から下方に向けて突出するヒンジ脚部２１が形成されている。ヒンジ脚部２１の下部は、前方に向けて膨出している。ヒンジ脚部２１は、前述した第１収容体１０の縦孔１６内にヒンジ軸Ｏ２回りに回動自在に配設され、縦孔１６の上面視形状に沿う矩形状を呈する。
【００２５】
図２に示すように、ヒンジ脚部２１には、ヒンジ脚部２１をヒンジ軸方向に貫き、前述した第１収容体１０の一対のヒンジ孔１６Ａと連通する連通孔２１Ａが形成されている。一対のヒンジ孔１６Ａおよび連通孔２１Ａそれぞれに、軸体４１が一体に挿入されることで、蓋体２０を第１収容体１０に対してヒンジ軸Ｏ２回りに回動自在に支持する一対のヒンジ部４０が構成されている。蓋体２０は、例えば合成樹脂材料等により形成されている。
【００２６】
図４に示すように、蓋体２０の天壁における下面には、鏡２２が配設されている。蓋体２０の天壁における下面の前端部には、下方に向けて延びる係合突片２３が形成されている。図２および図４に示すように、係合突片２３の下端部には、前方を向く前面から、前方に向けて突出する突出部が形成されている。この突出部は、係合突片２３の下端部のうち、ヒンジ軸方向の両端部を除く全域にわたって形成されている。この突出部には、図４に示すように、前方に向かうに従い漸次、上方に向けて延びる被押圧面２３Ａが形成されている。
【００２７】
蓋体２０の係合突片２３は、第１収容体１０の被係合突部１５に、被係合突部１５の下方から係合している。これにより、蓋体２０は、ヒンジ軸Ｏ２回りの上方に向けた回動が規制されている。
図１に示すように、係合突片２３、および第１収容体１０の被係合突部１５それぞれにおけるヒンジ軸方向の中央部の位置が、互いに同等となっている。また、係合突片２３のヒンジ軸方向の大きさは、被係合突部１５のヒンジ軸方向の大きさよりも大きくなっている。
【００２８】
第２収容体３０は、図２および図４に示すように、第１収容体１０の下方に配設されている。第２収容体３０および第２収容凹部３９は、上面視で矩形状を呈し、上方に向けて開口している。
第２収容体３０の前後方向の大きさは、第１収容体１０の前後方向の大きさよりも小さくなっている。第２収容体３０のヒンジ軸方向の大きさは、第１収容体１０のヒンジ軸方向の大きさよりも小さくなっている。第２収容体３０の上下方向の大きさは、第１収容体１０の上下方向の大きさよりも大きくなっている。
【００２９】
図３および図４に示すように、第２収容体３０の上端開口縁のうち、前側に位置する部分には、上方に向けて延びるとともに、上端部が後方に向けて突出する係止部３０Ａが形成されている。係止部３０Ａは、第２収容体３０の上端開口縁におけるヒンジ軸方向の中央部に形成されている。係止部３０Ａの上端部は、第１収容体１０の係止口１４内に挿入されている。
第２収容凹部３９内には、第２被収容体９０として、例えば塗布具等が収容されている。第２収容体３０は、例えば合成樹脂材料等により形成されている。
【００３０】
皿枠５０は、図２に示すように、第１収容凹部１９内に配設されている。皿枠５０は、上面視で矩形状をなす扁平な有底筒状に形成されている。皿枠５０の内周面のうち、前後方向を向く各内面には、前後方向の内側に向けて突出する固定突部５１が各別に形成されている。
【００３１】
図４に示すように、皿枠５０の上端開口縁には、外側に向けて突出し、全周にわたって延びるフランジ部５２が形成されている。
フランジ部５２は、第１収容体１０の上端開口縁上に載置されている。皿枠５０における底部の下面は、第１収容体１０における底部の上面と、上下方向に隙間をあけて対向している。皿枠５０は、例えば合成樹脂材料等により形成されている。
【００３２】
図１および図４に示すように、皿枠５０のフランジ部５２のうち、前側に位置する部分には、前方および上下方向に開口する挿通開口部５３が形成されている。挿通開口部５３は、皿枠５０のフランジ部５２のうち、前側に位置する部分におけるヒンジ軸方向の中央部に形成されている。挿通開口部５３内に、前述した蓋体２０の係合突片２３が上方から挿入されている。挿通開口部５３における内面と、蓋体２０の係合突片２３と、がヒンジ軸方向および前後方向に当接或いは近接している。
【００３３】
図２および図４に示すように、皿枠５０の前端部に位置し、ヒンジ軸方向に延びる前壁には、前述した蓋体２０の係合突片２３を後方に向けて押圧するフックピース６０が配設されている。フックピース６０は、皿枠５０の前壁における下端部に配設されている。フックピース６０および皿枠５０それぞれのヒンジ軸方向の中央部の位置が互いに同等となっている。
【００３４】
フックピース６０は、表裏面が上下方向を向くとともに、上面視で前後方向よりもヒンジ軸方向に長い長方形状をなす板状部材である操作部６１と、ヒンジ軸方向の外側に向けて突の曲面状に形成され、操作部６１の後端縁におけるヒンジ軸方向の両端部に各別に接続された一対の湾曲部６２と、を備えている。
図示の例では、操作部６１および一対の湾曲部６２が一体に形成されたフックピース６０が、皿枠５０と一体に形成されている。なお、フックピース６０は皿枠５０と別体に形成されてもよい。またこのような場合には、操作部６１および一対の湾曲部６２が、別体に形成されてもよい。
【００３５】
操作部６１および湾曲部６２それぞれの上下方向の大きさは、互いに同等であり、皿枠５０におけるフランジ部５２の上下方向の大きさよりも大きくなっている。
操作部６１は、図２および図３に示すように、第１収容凹部１９の内側から前方に向けて開口部１２内に挿入されている。操作部６１の前端縁は、第１収容体１０の前壁１１における前方を向く前面よりも後方に位置している。
【００３６】
湾曲部６２のうち、前側の端部は、操作部６１の後端縁に接続され、後側の端部は、皿枠５０の前壁における前面のうち、上面視で前記前側の端部よりもヒンジ軸方向の外側に位置する部分に接続されている。フックピース６０は、操作部６１が後方に向けて押圧されると、湾曲部６２が後方に向けて弾性変形することで、操作部６１が後方に向けて変位可能に形成されている。
【００３７】
図２および図４に示すように、操作部６１の後方に位置し、かつ一対の湾曲部６２同士の間に位置する部分には、蓋体２０の係合突片２３が挿入されている。操作部６１の後端縁には、上方に向かうに従い漸次、後方に向けて延びるとともに、係合突片２３の被押圧面２３Ａに前方から当接する押圧部６１Ａが形成されている。なお、押圧部６１Ａは、係合突片２３の被押圧面２３Ａに前後方向に隙間をあけて対向していてもよい。
【００３８】
フックピース６０の操作部６１が後方に向けて押圧され、湾曲部６２が後方に向けて弾性変形することで、操作部６１が後方に向けて変位すると、操作部６１の押圧部６１Ａが、蓋体２０の係合突片２３における被押圧面２３Ａを後方に向けて押圧する。これにより、係合突片２３が突き上げられ、係合突片２３と、第１収容体１０の被係合突部１５と、の係合が解除される。このようにして、フックピース６０の操作部６１を後方に向けて押圧することで、蓋体２０をヒンジ軸Ｏ２回りに回動させて、第１収容凹部１９を開放することができる状態となる。
【００３９】
第１被収容体８０は、上面視で矩形状をなす扁平な有底筒状に形成されている。第１被収容体８０は、皿枠５０内に載置されている。第１被収容体８０の外周面には、前後方向の内側に向けて窪む被固定凹部８１が形成されている。
第１被収容体８０の被固定凹部８１内に、前述した皿枠５０の固定突部５１が、前後方向の外側から進入することで、第１被収容体８０が皿枠５０内にアンダーカット嵌合されている。第１被収容体８０の上端開口縁は、皿枠５０の上端開口縁よりも下方に位置している。第１被収容体８０内には、例えば粉状の化粧品等の内容物が充填されている。第１被収容体８０は、例えば合成樹脂材料等により形成されている。
【００４０】
そして本実施形態では、図２に示すように、本体容器５および第２収容体３０のうちのいずれか一方に、本体容器５の底面に沿う水平方向のうちの一方向に延びる第１案内凹部３１と、前記一方向と交差する他方向に延びる第２案内凹部３２と、が形成されている。図示の例では、第１案内凹部３１および第２案内凹部３２は、第１収容体１０の底部に形成され、第１収容体１０の底面１０Ａに沿って延びている。第１案内凹部３１および第２案内凹部３２はそれぞれ、第１収容体１０の底部を上下方向に貫いている。上面視で第１案内凹部３１および第２案内凹部３２はそれぞれ、円弧状に形成されている。
【００４１】
第１案内凹部３１および第２案内凹部３２は、上面視で中心軸線Ｏ１を通り、前後方向に延びる線に対して、互いに対称な形状をなしている。
なお、第１案内凹部３１および第２案内凹部３２は、例えば第２収容体３０の上端開口縁上に配設されるとともに、第２収容凹部３９を覆う上面板に形成される等してもよい。
【００４２】
また、図２および図５に示すように、本体容器５および第２収容体３０のうちのいずれか他方には、第１案内凹部３１内に、前記一方向に移動可能に挿入された第１突部７１と、第２案内凹部３２内に、前記他方向に移動可能に挿入された第２突部７２と、が配設されている。第１突部７１および第２突部７２のうちのいずれか一方は、他方回りに第１案内凹部３１内又は第２案内凹部３２内を移動する。
図示の例では、第１突部７１および第２突部７２は、第２収容体３０に配設されている。なお、第１突部７１および第２突部７２は、本体容器５に配設されてもよい。
【００４３】
第１突部７１および第２突部７２は、第１収容体１０および第２収容体３０のうちのいずれか他方の外周縁部に、ヒンジ軸方向に互いに間隔をあけて配置されている。図示の例では、第１突部７１および第２突部７２は、第２収容体３０における後端部に配置されている。第１突部７１および第２突部７２は、上面視で第１収容体１０の縦孔１６よりもヒンジ軸方向の外側に位置している。
【００４４】
第１突部７１および第２突部７２は軸部材であり、それぞれの軸線（以下、突起軸という）Ａ１、Ａ２が上下方向に沿って延びている。第１突部７１および第２突部７２は、互いに同形同大をなしている。図示の例では、第１突部７１および第２突部７２はそれぞれ筒状をなしている。
第１突部７１および第２突部７２の各周壁には、これらの周壁を突起軸Ａ１、Ａ２と直交する軸径方向に貫くスリット（図示せず）が形成されている。スリットは突起軸Ａ１、Ａ２回りに周回する軸周方向に間隔をあけて複数形成されている。
【００４５】
第１突部７１および第２突部７２の各下端部には、軸径方向の外側に向けて突出し、第１突部７１および第２突部７２が、第２収容体３０から離脱するのを防止する抜け止め部７３が各別に形成されている。抜け止め部７３の外周面は、上方から下方に向かうに従い漸次、軸径方向の外側から内側に向けて延びるテーパ状に形成されている。なお、第１突部７１および第２突部７２は、このような態様に限られず、例えば中実の軸部材等であってもよい。
【００４６】
第１突部７１および第２突部７２は、ヒンジ軸方向に延びる連結部材７０により互いに連結されている。連結部材７０は、表裏面が上下方向を向くとともに、前後方向よりもヒンジ軸方向に長い板状部材である。連結部材７０のヒンジ軸方向の両端部は、上面視でヒンジ軸方向の外側に向けて突となす曲線状に形成されている。
連結部材７０の下面が、第１突部７１および第２突部７２それぞれの上端開口縁と各別に連結されている。図示の例では、連結部材７０、第１突部７１、および第２突部７２は、例えば合成樹脂材料等により一体に形成されている。
【００４７】
第２収容体３０の上端開口縁のうち、後方に位置する２つの角部分には、第２収容凹部３９を部分的に覆う取付部３４が各別に形成されている。取付部３４は、表裏面が上下方向を向くとともに、上面視で扇状をなす板状部材である。取付部３４は、上面視で中心角部分が第２収容体３０の角部に位置し、円弧部分が第２収容凹部３９内に向けて張出している。
【００４８】
図５に示すように、取付部３４には、上下方向に貫通する取付孔３４Ａが形成されている。取付部３４における取付孔３４Ａの開口周縁部には、上方に向けて突出する係止筒３４Ｂが形成されている。
係止筒３４Ｂは、第１収容体１０の底部における第１案内凹部３１内および第２案内凹部３２内に、第１案内凹部３１および第２案内凹部３２の下方から各別に挿入されている。
【００４９】
そして第１突部７１および第２突部７２は、係止筒３４Ｂ内に、係止筒３４Ｂの上方から各別に挿入されている。連結部材７０の下面が、係止筒３４Ｂの上端開口縁と当接している。第１突部７１および第２突部７２それぞれの抜け止め部７３が、取付部３４の下面と、上下方向に近接或いは当接している。
【００５０】
図２に示すように、上面視において第１案内凹部３１は、第２突部７２の第２突起軸Ａ２を中心として前後方向に延びる円弧状に形成されている。第１案内凹部３１における後側の周端部（以下、始端部という）Ｐ１に、第１突部７１が位置している。第１案内凹部３１における始端部Ｐ１から前側の周端部（以下、終端部という）Ｐ２までの、第２突部７２の第２突起軸Ａ２を中心とした中心角は、例えば約６０°以上９０°以下となっている。
【００５１】
上面視において第２案内凹部３２は、第１突部７１の第１突起軸Ａ１を中心として前後方向に延びる円弧状に形成されている。第２案内凹部３２における始端部Ｑ１に、第２突部７２が位置している。第２案内凹部３２における始端部Ｑ１から終端部Ｑ２までの第１突部７１の第１突起軸Ａ１を中心とした中心角は、例えば約６０°以上９０°以下となっている。
【００５２】
第１案内凹部３１と第２案内凹部３２との交差部Ｃは、第１収容体１０の底部におけるヒンジ軸方向の中央部の前側部分に位置している。
第１案内凹部３１は、始端部Ｐ１から交差部Ｃまでの長さが、交差部Ｃから終端部Ｐ２までの長さよりも長くなっている。第２案内凹部３２は、始端部Ｑ１から交差部Ｃまでの長さが、交差部Ｃから終端部Ｑ２までの長さよりも長くなっている。
【００５３】
第１案内凹部３１は、第２突部７２の第２突起軸Ａ２と直交する第２軸径方向の外側を向く第１内側面３１Ａと、第２軸径方向の内側を向く第１外側面３１Ｂと、第１内側面３１Ａおよび第１外側面３１Ｂそれぞれの端部同士を各別に接続する一対の第１周端面３１Ｃと、により画成されている。第１内側面３１Ａおよび第１外側面３１Ｂは、第２突起軸Ａ２と同軸上に配置され、上面視で前記一方向に延びている。
一対の第１周端面３１Ｃは、第２突起軸Ａ２回りに周回する第２軸周方向の外側に向けて突となす曲面状に形成されている。
【００５４】
第２案内凹部３２は、第１突部７１の第１突起軸Ａ１と直交する第１軸径方向の外側を向く第２内側面３２Ａと、第１軸径方向の内側を向く第２外側面３２Ｂと、第２内側面３２Ａおよび第２外側面３２Ｂそれぞれの端部同士を各別に接続する一対の第２周端面３２Ｃと、により画成されている。第２内側面３２Ａおよび第２外側面３２Ｂは、第１突起軸Ａ１と同軸上に配置され、上面視で前記他方向に延びている。
一対の第２周端面３２Ｃは、第１突起軸Ａ１回りに周回する第１軸周方向の外側に向けて突となす曲面状に形成されている。
【００５５】
また、本実施形態では、図６および図７に示すように、本体容器５および第２収容体３０は、第１突部７１又は第２突部７２の第１案内凹部３１内又は第２案内凹部３２内における移動に伴って、第２収容凹部３９が本体容器５の底面から開放される開位置に向けて水平方向に相対変位可能に配設されている。
図示の例では、第１収容体１０および第２収容体３０が、第２収容凹部３９が第１収容体１０の底面１０Ａから開放される開位置に向けて水平方向に相対変位可能に配設されている。
【００５６】
図２、図６、および図７に示すように、第１案内凹部３１および第２案内凹部３２のうちの少なくとも一方には、第２収容凹部３９が本体容器５の底面から開放される開位置に向けた、本体容器５および第２収容体３０の相対変位を抑止する第１位置決め部３１Ｄと、前記開位置から、第２収容凹部３９が本体容器５の底面に閉塞される閉位置に向けた、本体容器５および第２収容体３０の相対変位を抑止する第２位置決め部３２Ｄと、が形成されている。図示の例では、第１位置決め部３１Ｄおよび第２位置決め部３２Ｄは、第１案内凹部３１および第２案内凹部３２の双方に形成され、第１収容体１０および第２収容体３０の相対変位を抑止している。
【００５７】
第１位置決め部３１Ｄは、第１案内凹部３１における第１内側面３１Ａおよび第１外側面３１Ｂのうち、始端部Ｐ１側に位置する部分に、互いに第２軸径方向に対向して各別に形成されている。
一対の第１位置決め部３１Ｄは、第１内側面３１Ａおよび第１外側面３１Ｂそれぞれから、第２軸径方向の外側および内側に向けて各別に突出している。第１位置決め部３１Ｄおよび第１周端面３１Ｃに、始端部Ｐ１に位置する第１突部７１が、第１軸周方向に挟まれる。
また、第１位置決め部３１Ｄは、第２案内凹部３２についても、第１案内凹部３１と同様に形成され、第１位置決め部３１Ｄおよび第１周端面３１Ｃに、始端部Ｑ１に位置する第２突部７２が、第２軸周方向に挟まれる。
【００５８】
第２位置決め部３２Ｄは、第１案内凹部３１における第１内側面３１Ａおよび第１外側面３１Ｂのうち、終端部Ｐ２側に位置する部分に、互いに第２軸径方向に対向して各別に形成されている。
一対の第２位置決め部３２Ｄは、第１内側面３１Ａおよび第１外側面３１Ｂそれぞれから、第２軸径方向の外側および内側に向けて各別に突出している。第２位置決め部３２Ｄおよび第１周端面３１Ｃに、終端部Ｐ２に位置する第１突部７１が、第１軸周方向に挟まれる。
また、第２位置決め部３２Ｄは、第２案内凹部３２についても、第１案内凹部３１と同様に形成され、第２位置決め部３２Ｄおよび第１周端面３１Ｃに、終端部Ｑ２に位置する第２突部７２が、第２軸周方向に挟まれる。
【００５９】
また、第１収容体１０の底部のうち、第１案内凹部３１における始端部Ｐ１および終端部Ｐ２と、第２軸径方向に隣り合う部分には、第１外側面３１Ｂおよび第１内側面３１Ａをそれぞれ、第２軸径方向の外側および内側に向けて弾性変形させる変形容易孔３５が各別に形成されている。
図示の例では、変形容易孔３５は、第１収容体１０の底部のうち、第１内側面３１Ａおよび第１外側面３１Ｂにおける一対の第１位置決め部３１Ｄおよび第２位置決め部３２Ｄに対して、第２軸径方向の両外側に位置する部分に各別に形成されている。
【００６０】
変形容易孔３５は、第１収容体１０の底部を上下方向に貫くとともに、第２軸周方向に沿って形成されている。第１案内凹部３１と変形容易孔３５との第２軸径方向の間の距離、および変形容易孔３５の第２軸径方向の大きさが、互いに同等となっている。
変形容易孔３５における第２軸周方向の中央部、並びに第１位置決め部３１Ｄおよび第２位置決め部３２Ｄそれぞれの第２軸周方向の位置が、互いに同等となっている。
また、変形容易孔３５は、第１案内凹部３１と同様に、第２案内凹部３２についても、第１収容体１０の底部のうち、始端部Ｑ１および終端部Ｑ２と、第１軸径方向に隣り合う部分に、各別に形成されている。
【００６１】
上記したコンパクト容器１を使用する際には、図１に示す状態から、前述したように、フックピース６０の操作部６１を後方に向けて押圧することで、蓋体２０の係合突片２３と、第１収容体１０の被係合突部１５と、の係合を解除する。そして蓋体２０の前端部を持ち上げて、蓋体２０をヒンジ軸Ｏ２回りに上方に向けて回動させることで、第１収容凹部１９を開放する。
【００６２】
次に、前述したような、第２収容凹部３９が、本体容器５の底面に閉塞された閉位置に位置する第１収容体１０および第２収容体３０を、第２収容凹部３９が、本体容器５の底面から開放された開位置に位置させる方法について説明する。
図６および図７に示すように、第１突部７１又は第２突部７２の、第１案内凹部３１内又は第２案内凹部３２内における移動に伴って、第１収容体１０および第２収容体３０を開位置に向けて相対変位させる。
【００６３】
具体的には、図６に示すように、第２収容体３０を、第１収容体１０に対して第２突起軸Ａ２回りに回動させると、第１突部７１が、第１案内凹部３１内を始端部Ｐ１から終端部Ｐ２まで移動する。この際、第１案内凹部３１の始端部Ｐ１に位置する第１突部７１が、第１位置決め部３１Ｄに当接することで、第１収容体１０の底部のうち、第１案内凹部３１と変形容易孔３５との間に位置する部分を第２軸径方向に弾性変形させ、一対の第１位置決め部３１Ｄ同士を互いが離間する向きに変位させる。そして第１突部７１が第１位置決め部３１Ｄを乗り越える。
【００６４】
また、第１突部７１は、第１案内凹部３１の終端部Ｐ２に到達する際に、前述と同様に、第１収容体１０の底部のうち、第１案内凹部３１と変形容易孔３５との間に位置する部分を第２軸径方向に弾性変形させることで、第２位置決め部３２Ｄを、第２軸径方向に変位させ、第２位置決め部３２Ｄを乗り越える。
このようにして、第２収容体３０は、第１収容体１０に対してヒンジ軸方向に沿う第２突部７２側の開位置に位置することとなる。
【００６５】
また、図７に示すように、第２収容体３０を、第１収容体１０に対して第１突起軸Ａ１回りに回動させると、第２突部７２が、第２案内凹部３２内を始端部Ｑ１から終端部Ｑ２まで移動する。この際、第２案内凹部３２の始端部Ｑ１に位置する第２突部７２が、第１位置決め部３１Ｄに当接することで、第１収容体１０の底部のうち、第２案内凹部３２と変形容易孔３５との間に位置する部分を第１軸径方向に弾性変形させ、一対の第１位置決め部３１Ｄ同士を互いが離間する向きに変位させる。そして第２突部７２が第１位置決め部３１Ｄを乗り越える。
【００６６】
また、第２突部７２は、第２案内凹部３２の終端部Ｑ２に到達する際に、前述と同様に、第１収容体１０の底部のうち、第２案内凹部３２と変形容易孔３５との間に位置する部分を第２軸径方向に弾性変形させることで、第２位置決め部３２Ｄを、第１軸径方向に変位させ、第２位置決め部３２Ｄを乗り越える。
このようにして、第２収容体３０が、第１収容体１０に対してヒンジ軸方向に沿う第１突部７１側の開位置に位置することとなる。
【００６７】
なお、上記の説明においては、第２収容体３０を第１収容体１０に対して変位させた場合について示したが、このような態様に限られない。第１収容体１０を第２収容体３０に対して変位させてもよいし、第１収容体１０および第２収容体３０の双方を変位させてもよい。
そして、第２収容体３０内の塗布具を取り出すとともに、第１被収容体８０に充填された化粧料等を塗布具に付着させて、所望する部位に塗布する。
【００６８】
以上説明したように、本実施形態に係るコンパクト容器１によれば、第２収容体３０の第２収容凹部３９が、第１収容凹部１９を有する第１収容体１０の底面１０Ａにより開放可能に閉塞されていて、第２収容体３０が第１収容体１０の下方に配設されているので、第１被収容体８０および第２被収容体９０が上下方向に互いに隣り合うように収容されることとなり、複数の被収容体８０、９０を収容しながら、水平方向の大きさを小さく抑えることができる。
また例えば、第１収容凹部１９内および第２収容凹部３９内のうち、いずれか一方に化粧料を収容し、いずれか他方に塗布具を収容すること等により、コンパクト容器１の搬送時に、塗布具が化粧料に直接触れるのを防ぐことができる。さらに、第２収容凹部３９内に塗布具を収容せずに、第１収容凹部１９内に収容した化粧料と異なる種類の化粧料を収容することで、コンパクト容器１に複数の種類の化粧料を収容することもできる。
【００６９】
また、第１収容体１０および第２収容体３０が、第１突部７１又は第２突部７２の第１案内凹部３１内又は第２案内凹部３２内での移動に伴って、前記開位置に向けて相対変位可能とされているので、第２収容凹部３９を、第１収容体１０の底面１０Ａから開放される際に、第１収容体１０および第２収容体３０を、第１案内凹部３１および第２案内凹部３２それぞれが延びる両方向に沿って、各別に相対変位させることが可能になる。
これにより、第２収容凹部３９を開く際に、第１収容体１０および第２収容体３０を水平方向に相対変位させる向きを任意に選択することができ、コンパクト容器１の取扱性を向上することができる。
また、第１突部７１および第２突部７２が、第１案内凹部３１内および第２案内凹部３２内に各別に挿入されているので、第１収容体１０および第２収容体３０を相対変位させる際に、第１収容体１０と第２収容体３０とを２箇所で連結させることが可能になり、第１収容体１０および第２収容体３０の相対変位を安定させることができる。
【００７０】
また、第１案内凹部３１および第２案内凹部３２が円弧状に形成されているので、第１収容体１０および第２収容体３０を、上面視で第１案内凹部３１および第２案内凹部３２の延びる方向に沿って円滑に相対変位させることができる。
また、第１案内凹部３１および第２案内凹部３２がそれぞれ円弧状に形成されているとともに、互いに交差しているので、第１案内凹部３１および第２案内凹部３２それぞれの上面視形状を単純にしながら、それぞれの長さを長く確保することが可能になる。このため、第１収容体１０および第２収容体３０が相対変位する際の変位量を大きく確保することができる。
これにより、第１収容体１０および第２収容体３０を相対変位させた際に、第２収容体３０の第２収容凹部３９を、第１収容体１０の底面１０Ａから広く開放することができ、コンパクト容器１の取扱性を向上することができる。
【００７１】
また、第１案内凹部３１に第１位置決め部３１Ｄおよび第２位置決め部３２Ｄが形成されているので、第１位置決め部３１Ｄにより、前記開位置に向けた第１収容体１０および第２収容体３０の相対変位を抑止することが可能になり、また、第２位置決め部３２Ｄにより、前記閉位置に向けた第１収容体１０および第２収容体３０の相対変位を抑止することが可能になる。これにより、例えば搬送時にコンパクト容器１に外力が加わることで、第１収容体１０および第２収容体３０が相対変位し、第２収容凹部３９が、不意に第１収容体１０の底面１０Ａから開放されたり、使用時にコンパクト容器１に外力が加わることで、第２収容凹部３９が、不意に第１収容体１０の底面１０Ａにより閉塞されたりするのを抑止すること等ができる。
【００７２】
また、コンパクト容器１がヒンジ部４０を備え、第１突部７１および第２突部７２が、第２収容体３０における外周縁部に、ヒンジ軸方向に互いに間隔をあけて配置されているので、第１収容体１０および第２収容体３０が相対変位する際の回動中心となる第１突部７１および第２突部７２が、第１収容体１０および第２収容体３０のうちのいずれか他方の外周縁部に配置されているので、第１案内凹部３１および第２案内凹部３２それぞれの長さを長く確保することが可能になる。
これにより、第１収容体１０および第２収容体３０を相対変位させた際に、第２収容体３０の第２収容凹部３９を、第１収容体１０の底面１０Ａから広く開放することができ、コンパクト容器１の取扱性を向上することができる。
【００７３】
また、第１突部７１および第２突部７２が、ヒンジ軸方向に互いに間隔をあけて配置されているので、第１収容体１０の底面１０Ａから第２収容凹部３９を開放するに際して、例えば第２収容体３０を、第１収容体１０に対して第１突部７１および第２突部７２のうちのいずれか一方回りに、上面視で第１案内凹部３１又は第２案内凹部３２の延びる方向に沿って回動させる等すると、第２収容凹部３９が、第１収容凹部１９に対してヒンジ軸方向の外側に位置することとなる。このため、このため、開放された第２収容凹部３９が、第１収容体１０に対して上方に向けて回動された蓋体２０により上方から覆われることが無い。
これにより、例えば第１収容凹部１９内および第２収容凹部３９内のいずれか一方に収容した塗布具を取り出すとともに、この塗布具にいずれか他方に収容した化粧料等を付着させて使用するような場合等において、このような一連の動作を円滑に行うことができ、コンパクト容器１の取扱性をより一層向上することができる。
【００７４】
また、第１突部７１および第２突部７２が、第１収容体１０の外周縁部のうち、ヒンジ部４０が位置する外周縁部に配置されているので、コンパクト容器１を使用する際に、一方の手のひらで第２収容体３０の底部を支持し、かつ他方の手の親指で蓋体２０の前面を支持した状態で、第１収容体１０および第２収容体３０が相対変位するように、両手を相対的に水平方向に回転移動させる第１操作と、他方の手の親指で蓋体２０を上方に向けて回動する第２操作と、により、第１収容凹部１９および第２収容凹部３９の双方を開放させることができる。そしてこのような一連の操作を、コンパクト容器１の持ち手の姿勢を変えずに行うことができる。
【００７５】
また、連結部材７０、第１突部７１、および第２突部７２が一体に形成されているので、第１突部７１および第２突部７２を、それぞれ別部品として個別に第２収容体３０における取付部３４に取付けることなく、一部品として取付けることが可能になり、第１突部７１および第２突部７２を、第２収容体３０に取付ける作業を容易に行うことができる。また、第１突部７１および第２突部７２を一体に成形することが可能になり、部品点数を削減することができる。
【００７６】
また、連結部材７０、第１突部７１、および第２突部７２が一体に形成されているので、第１突部７１と第２突部７２との間の距離が、連結部材７０により常に一定に保たれることとなり、第２収容体３０を第１収容体１０に対して相対変位させた際に、第２収容体３０の回動中心となる第１突部７１または第２突部７２が、第１案内凹部３１の始端部Ｐ１、または第２案内凹部３２の始端部Ｑ１で位置ずれするのを防ぐことができる。これにより、第１収容体１０および第２収容体３０の相対変位を円滑に行うことができる。
【００７７】
また、第１収容体１０の底部に、変形容易孔３５が形成されている。このため、第１突部７１および第２突部７２が、第１案内凹部３１および第２案内凹部３２それぞれにおける始端部Ｐ１、Ｑ１から移動する際に、或いは終端部Ｐ２、Ｑ２に到達する際に、第１内側面３１Ａおよび第１外側面３１Ｂを、径方向の内側に向けて変形させるとともに、第２内側面３２Ａおよび第２外側面３２Ｂを、径方向の外側に向けて変形させることができる。これにより、第１突部７１および第２突部７２が、第１位置決め部３１Ｄおよび第２位置決め部３２Ｄを容易に乗り越えることができる。
【００７８】
本発明は上記した実施の形態に限定されるものではなく、その趣旨を逸脱しない範囲で適宜変更可能である。
【００７９】
例えば、上記実施形態においては、第１突部７１又は第２突部７２のうちのいずれか一方が、第１案内凹部３１内又は第２案内凹部３２内を移動している際に、他方が第１案内凹部３１内又は第２案内凹部３２内を移動しない構成を示したが、このような態様に限られない。第１突部７１および第２突部７２は、同時に第１案内凹部３１内および第２案内凹部３２内を移動可能に配設されてもよい。
【００８０】
また、上記実施形態においては、第１案内凹部３１および第２案内凹部３２がそれぞれ、第２突部７２および第１突部７１を中心とする円弧状に形成されるとともに、第１案内凹部３１および第２案内凹部３２が、互いに交差している構成を示したが、このような態様に限られない。第１案内凹部３１および第２案内凹部３２はそれぞれ、第１突部７１および第１突部７１を中心とする円弧状に形成されなくてもよいし、互いに交差しなくてもよい。
【００８１】
また、上記実施形態においては、第１案内凹部３１および第２案内凹部３２の双方に、第１位置決め部３１Ｄおよび第２位置決め部３２Ｄが形成された構成を示したが、このような態様に限られない。位置決め部は、第１案内凹部３１および第２案内凹部３２のいずれか一方にだけ形成されてもよいし、第１案内凹部３１および第２案内凹部３２のいずれにも形成されなくてもよい。
【００８２】
また、上記実施形態においては、コンパクト容器１がヒンジ部４０を備えた構成を示したが、このような態様に限られない。コンパクト容器１がヒンジ部４０を備えず、蓋体２０が螺着やアンダーカット嵌合等により第１収容体１０に装着されてもよい。また、蓋体２０および第１収容体１０を水平方向に相対的にスライド移動させることで、第１収容凹部１９が蓋体２０により開放可能に閉塞される構成としてもよい。
【００８３】
また、上記実施形態においては、蓋体２０が、第１収容体１０の上方に配設され、第２収容凹部３９が、第１収容体１０の底面１０Ａにより開放可能に閉塞された構成を示したが、このような態様に限られない。例えば、蓋体が、水平方向のうちの一方側が開口された箱状に形成され、第１収容体がこの蓋体内に水平方向にスライド移動されることで、第１収容凹部が蓋体により開閉され、第２収容凹部が、この蓋体の底面により開放可能に閉塞される構成等であってもよい。
【００８４】
また、上記実施形態においては、第１突部７１および第２突部７２が、第１収容体１０の後端部に、ヒンジ軸方向に互いに間隔をあけて配置されている構成を示したが、このような態様に限られない。第１突部７１および第２突部７２は、例えば第１収容体１０における前端部、または第１収容体１０のうち、外周縁部よりも内側に位置する部分等に配置されてもよいし、前後方向に互いに間隔をあけて配置されてもよい。
【００８５】
また、上記実施形態においては、第１収容体１０内に化粧料が充填された第１被収容体８０が収容され、第２収容体３０内に第２被収容体９０としての塗布具が収容された構成を示したが、このような態様に限られない。第１収容体１０内に第１被収容体８０としての塗布具が収容され、第２収容体３０内に化粧料が充填された第２被収容体９０が収容されてもよい。また、コンパクト容器１に塗布具が収容されず、例えば第１収容体１０内および第２収容体３０内に、異なる種類の複数の化粧料が収容されてもよい。
【００８６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００８７】
１  コンパクト容器
５  本体容器
１０  第１収容体
１９  第１収容凹部
２０  蓋体
３０  第２収容体
３１  第１案内凹部
３１Ｄ  第１位置決め部
３２  第２案内凹部
３２Ｄ  第２位置決め部
３９  第２収容凹部
４０  ヒンジ部
５０  皿枠
７１  第１突部
７２  第２突部
８０  第１被収容体
９０  第２被収容体
【図１】
2018171232.tif 000003
【図２】
2018171232.tif 000004
【図３】
2018171232.tif 000005
【図４】
2018171232.tif 000006
【図５】
2018171232.tif 000007
【図６】
2018171232.tif 000008
【図７】
2018171232.tif 000009